(57)【特許請求の範囲】
【請求項１】
底部に形成された吐出口をシールにより塞いだ容器本体にアイスクリーム類を充填し、前記容器本体には上縁に開口を形成する周壁部が設けられ、該周壁部内側に可撓性を有する蓋部材の筒部外側を嵌着して閉塞し、前記シールを外してから前記蓋部材を押圧して前記アイスクリーム類を前記吐出口から吐出させるアイスクリーム類用押出容器において、
前記容器本体には、前記アイスクリーム類が充填される底部を形成すると共に、前記周壁部と前記底部との間に段部を形成し、前記蓋部材には、前記段部に接触する底壁部を形成すると共に、前記底壁部に連接して前記筒部の内側に凸形状の、かつ、押圧力により反転して前記底部に密着するドーム部を形成し、
また、前記アイスクリーム類を吐出する際に、内部空気を逃す溝を前記周壁部内側又は前記筒部外側に形成したことを特徴とするアイスクリーム類用押出容器。
【請求項２】
前記容器本体の前記周壁部上縁にフランジ部を形成し、前記蓋部材には前記フランジ部に密着する鍔部を設けたことを特徴とする請求項１記載のアイスクリーム類用押出容器。
【請求項３】
前記溝は複数設けられていることを特徴とする請求項１又は請求項２記載のアイスクリーム類用押出容器。
【請求項４】
複数の前記溝は、対向して配置されていることを特徴とする請求項３記載のアイスクリーム類用押出容器。
【発明の詳細な説明】
【０００１】
【発明の属する技術分野】
本発明は、コーンカップ、容器や皿などに盛るアイスクリーム類を所定量小分けして充填され、押圧して吐出口から吐出するアイスクリーム類用押出容器に関する。
【０００２】
【従来の技術】
従来より、主としてコーンカップに盛る１回分、あるいは容器や皿に盛り付ける１回分の分量のアイスクリーム類を充填して冷蔵庫に保管しておき、必要に応じて押出機にセットして、外部から押圧することにより、内容物であるアイスクリームを吐出口から吐出しながらコーンカップ、容器、皿などに盛り付けるアイスクリーム類用押出容器が知られている。
【０００３】
このような容器では、図４（イ）に示すように、容器本体１００にアイスクリーム類１０２を充填し、蓋部材１０４を嵌着して閉塞したときに、上部に空気層１０６が残る。この状態で、容器本体１００のフランジ部１０８を押出機のアーム１１０に支持して、蓋部材１０４の上方からプランジャ１１２により押圧する。
【０００４】
これにより、図４（ロ）に示すように、蓋部材１０４が変形して、アイスクリーム類１０２が吐出口１１４から吐出される。そして、更にプランジャ１１２により押圧されると、図４（ハ）に示すように、容器本体１００内の全てのアイスクリーム類１０２が吐出される。
【０００５】
【発明が解決しようとする課題】
しかしながら、こうした従来のものでは、例えば、冷蔵庫に保管している際、その保管時の温度が比較的高く、アイスクリーム類１０２が比較的柔らかくなっているときに押し出すと、図４（ロ）に示すように、空気層１０６の空気を巻き込んで、吐出口１１４から吐出したアイスクリーム類１０２が途切れてしまい、コーンカップに適切に盛り付けられないという問題があった。
【０００６】
本発明の課題は、吐出時にソフトクレーム類が途切れるのを防止したアイスクリーム類用押出容器を提供することにある。
【０００７】
【課題を解決するための手段】
かかる課題を達成すべく、本発明は課題を解決するため次の手段を取った。即ち、
底部に形成された吐出口をシールにより塞いだ容器本体にアイスクリーム類を充填し、前記容器本体には上縁に開口を形成する周壁部が設けられ、該周壁部内側に可撓性を有する蓋部材の筒部外側を嵌着して閉塞し、前記シールを外してから前記蓋部材を押圧して前記アイスクリーム類を前記吐出口から吐出させるアイスクリーム類用押出容器において、
前記容器本体には、前記アイスクリーム類が充填される底部を形成すると共に、前記周壁部と前記底部との間に段部を形成し、前記蓋部材には、前記段部に接触する底壁部を形成すると共に、前記底壁部に連接して前記筒部の内側に凸形状の、かつ、押圧力により反転して前記底部に密着するドーム部を形成し、
また、前記アイスクリーム類を吐出する際に、内部空気を逃す溝を前記周壁部内側又は前記筒部外側に形成したことを特徴とするアイスクリーム類用押出容器がそれである。
【０００８】
また、前記容器本体の前記周壁部上縁にフランジ部を形成し、前記蓋部材には前記フランジ部に密着する鍔部を設けたものでもよい。更に、前記溝は複数設けられていてもよい。あるいは、複数の前記溝は、対向して配置されていてもよい。
【０００９】
【発明の実施の形態】
以下本発明の実施の形態を図面に基づいて詳細に説明する。
図１に示すように、１は本実施形態では高密度ポリエチレン製の容器本体で、容器本体１は椀状の底部２を備え、底部２の中央には、星形断面の吐出口４が形成されている。吐出口４は、外側に、片面に接着剤が塗布あるいは両面接着テープが貼付けられて、粘着性を有するシール６が貼付けられて閉塞されている。
【００１０】
椀状の底部２の上側は、外方向に広げられて、段部８が形成されており、段部８から上方に向かって拡径するテーパ筒状の周壁部１０が形成されている。周壁部１０の上縁は、そのまま上方に開いた開口１２が設けられており、周壁部１０の内周面１０ａがこの開口１２に連なるように形成されている。
【００１１】
また、周壁部１０の上縁には、径方向外側に広げられたフランジ部１４が形成されている。フランジ部１４は、開口１２と同じ平面上でリング状に形成された平坦部１６を有すると共に、平坦部１６から下方に折れ曲がった縁部１８を有している。
【００１２】
２１は本実施形態では低密度ポリエチレン製の可撓性を有する蓋部材で、蓋部材２１はテーパ状の筒部２２を備えている。筒部２２の外側形状は周壁部１０の内周面１０ａに密着する形状に形成されており、筒部２２の下端には、筒部２２が内周面１０ａに密着した際に、段部８に接触する底壁部２４が設けられている。
【００１３】
底壁部２４に連接して、筒部２２の内側には、上方に凸形状のドーム部２６が形成されている。ドーム部２６は、上方から押圧することにより、底壁部２４に対して上方に凸の状態から反転して凹の状態に変形可能である。そして、この凹の状態となったときには、ドーム部２６は底部２の内側に密着するようにその形状が決定されている。
【００１４】
筒部２２の上縁には、径方向外側に広がった鍔部２８が形成されている。鍔部２８はフランジ部１４の形状に応じて形成されており、フランジ部１４の平坦部１６に密着する平坦部３０と、フランジ部１４の縁部１８の外周に嵌着する縁部３２とを備えている。
【００１５】
一方、容器本体１の内周面１０ａには、複数の溝３２が設けられている。図４に示すように、本実施形態では、円周上等間隔で４箇所に溝３２が２つづつ設けられている。また、溝３２は、図３（イ）に示すように、内周面１０ａから内側に向かって突壁３４が３本形成されており、この突壁３４に仕切られて、溝３２が形成されている。溝３２と突壁３４とは、本実施形態では、内周面１０ａと段部８とに形成されており、フランジ部１４の平坦部１６には形成されていない。尚、図３（ロ）に示すように、溝３２は、内周面１０ａを直接窪ませて形成してもよい。
【００１６】
次に、前述した本実施形態のアイスクリーム類用押出容器の作動について説明する。
まず、シール６により吐出口４を閉塞した容器本体１の底部２に所定量のアイスクリーム類を充填する。本実施形態では、充填量は１個のアイスクリームを盛り付ける量に相当する。充填した後、蓋部材２１の筒部２２を内周面１０ａに嵌着して密閉する。その際、段部８に底壁部２４が接触すると共に、フランジ部１４の平坦部１６に鍔部２８の平坦部３０が密着し、更に、フランジ部１４の縁部１８の外周に、鍔部２８の縁部３２が嵌着するので、内周面１０ａに溝３２が形成されていても、内部は完全に密閉される。また、図１に示すように、アイスクリーム類３５を充填した後、蓋部材２１により密閉した際、ドーム部２６があるために、ドーム部２６に空気層３６が残る。
【００１７】
このアイスクリーム類の充填は、工場で行われて、各小売店や各家庭等に流通経路を介して運搬される。各小売店や各家庭等では、これを冷蔵庫に保管して、必要なときに必要な個数だけ取り出して使用する。そして、アイスクリーム類３５を盛り付ける場合には、前述した図４に示した場合と同様に、まず、シール６を外してから、押出機にセットする。プランジャによりドーム部２６を上方から押圧する。
【００１８】
これにより、ドーム部２６が変形し、内部のアイスクリーム類３５を吐出口４から徐々に吐出する。その際、蓋部材２１は可撓性を有するので、鍔部２８も変形して、両平坦部１６，３０にも隙間ができると共に、内部の空気は、溝３２を介して外部に排出される。ドーム部２６が完全に変形したときには、ドーム部２６は反転して底部２に密着し、アイスクリーム類３５を全て吐出する。
【００１９】
本実施形態では、４箇所に溝３２を形成しているが、これに限らず、１８０度対向した２箇所に溝３２を形成してもよい。溝３２を複数設けることにより、一度アイスクリーム類３５が柔らかくなった後、固まった際に、斜めに傾斜した状態となったとき、一部の溝３２がアイスクリーム類３５により閉塞されても、残りの溝３２が閉塞されることなく、有効に空気を排出することができる。
【００２０】
冷蔵庫に保管される際の、アイスクリーム類３５の最適な温度は−１２℃であるが、必ずしもこの温度で保管されない場合がある。また、押出機にセットされる際に、アイスクリーム類３５の温度が上昇しており、既に柔らかくなっている場合がある。このような柔らかくなっている状態で、押出機にセットされる場合があり、従来容器と本発明容器とで、その効果を比較したのが、下記の表１である。
【００２１】
【表１】
0003663376.tif 000002
【００２２】
この表１において、アイスクリーム類３５の温度が−１２℃である場合には、溝３２を設けていない従来容器でも、溝３２を設けた本発明容器でも、それぞれ４個の容器について盛り付けを行った場合、共に、押し出す際にアイスクリーム類３５の切れが生じることなく、良好に盛り付けることができた。
【００２３】
これに対して、アイスクリーム類３５の温度が−１０℃で比較的柔らかい場合には、従来容器では押出時に２個に途切れが生じたが、本発明容器では、４個ともに途切れが生じることなく、良好に盛り付けることができた。また、アイスクリーム類３５の温度が−８℃で更に柔らかい場合には、従来容器では４個共に盛り付け時に途切れが生じたが、本発明容器では４個共に途切れが生じることなく、良好に盛り付けることができた。
【００２４】
以上本発明はこの様な実施形態に何等限定されるものではなく、本発明の要旨を逸脱しない範囲において種々なる態様で実施し得る。
【００２５】
【発明の効果】
以上詳述したように本発明のアイスクリーム類用押出容器は、溝を介して内部空気を逃すことができるので、盛り付け時にアイスクリーム類が比較的柔らかくても、途切れることなく良好に盛り付けることができるという効果を奏する。
【図面の簡単な説明】
【図１】本発明の一実施形態としてのアイスクリーム類用押出容器の断面図である。
【図２】本実施形態の容器本体の平面図である。
【図３】本実施形態の溝の拡大断面図である。
【図４】従来の押出容器とその使用方法を示す説明図である。
【符号の説明】
１，１００…容器本体  ２…底部
４…吐出口            ６…シール
８…段部              １０…周壁部
１０ａ…内周面        １２…開口
１４…フランジ部      ２１，１０４…蓋部材
２２…筒部            ２４…底壁部
２６…ドーム部        ２８…鍔部
３２…溝              ３４…突壁
３５…アイスクリーム類
３６，１０６…空気層  １１２…プランジャ
１１４…吐出口
【図１】
0003663376.tif 000003
【図２】
0003663376.tif 000004
【図３】
0003663376.tif 000005
【図４】
0003663376.tif 000006